(57)【要約】【課題】広帯域幅特性を有するアンテナモジュールを提供する。【解決手段】アンテナモジュールは、誘電体基板と、接地素子と、伝送素子と、放射素子と、を備える。誘電体基板は、第１の表面及び第２の表面を有する。接地素子は第１の表面に配置される。伝送素子及び放射素子は第２の表面に配置される。放射素子は、第１の辺及び第２の辺を有する第１のサブ放射素子を含む。第１のサブ放射素子は、第１の辺で伝送素子に接続され、第１のサブ放射素子の幅は、第１の辺から第２の辺に向かって徐々に広くなる。【選択図】図１
2009171583.tif 000002
【特許請求の範囲】
【請求項１】
第１の表面及び第２の表面を有する誘電体基板と、
前記第１の表面に配置される接地素子と、
前記第２の表面に配置される伝送素子と、
前記第２の表面に配置されると共に、第１の辺及び第２の辺を有する第１のサブ放射素子を含む、放射素子と、
を含み、
前記第１のサブ放射素子は、前記第１の辺で前記伝送素子に接続され、
前記第１のサブ放射素子の幅は、前記第１の辺から前記第２の辺に向かって徐々に増大する、
ことを特徴とするアンテナモジュール。
【請求項２】
前記第１の表面は、第１の領域と第２の領域とに分割され、
前記第２の領域は、前記第１の表面から前記第１の領域を除いた他の領域であり、
前記接地素子は、前記第１の領域に配置され、
前記伝送素子は、前記第１の領域の上方に配置され、
前記第１のサブ放射素子は、前記第２の領域の上方に配置される、
ことを特徴とする請求項１に記載のアンテナモジュール。
【請求項３】
前記第１のサブ放射素子は、前記第１の辺と前記第２の辺とを接続する第１の放射縁部を有し、
前記伝送素子は、前記第１の放射縁部に接続される伝送縁部を含む、
ことを特徴とする請求項１に記載のアンテナモジュール。
【請求項４】
前記第１のサブ放射素子は、前記第１の辺と前記第２の辺とを接続する第１の放射縁部を含み、
前記第１の放射縁部は、滑らかな曲線の形状である、
ことを特徴とする請求項１に記載のアンテナモジュール。
【請求項５】
前記第１のサブ放射素子は、２つの対向する第１の放射縁部を有し、
前記２つの第１の放射縁部は、前記第１のサブ放射素子の対称軸に関して対称である、
ことを特徴とする請求項４に記載のアンテナモジュール。
【請求項６】
前記第１の放射縁部は、楕円曲線の一部の形状である、
ことを特徴とする請求項４に記載のアンテナモジュール。
【請求項７】
前記放射素子は、第２の放射縁部を有する第２のサブ放射素子をさらに含み、
前記第２の放射縁部は、前記第１の放射縁部に接続されると共に直線の形状である、
ことを特徴とする請求項４に記載のアンテナモジュール。
【請求項８】
前記第２のサブ放射素子は、長方形である、
ことを特徴とする請求項７に記載のアンテナモジュール。
【請求項９】
前記伝送素子は、伝送縁部を有し、
前記伝送縁部は、前記第１の放射縁部に接続されると共に第１の長さを有し、
前記第１の放射縁部は、第２の長さを有し、
前記第２の放射縁部は、第３の長さを有し、
前記第２の長さと前記第３の長さとの和は、前記アンテナモジュールの最低動作周波数に関連する、
ことを特徴とする請求項７に記載のアンテナモジュール。
【請求項１０】
前記第１のサブ放射素子は、第１の放射縁部を有し、
前記第１の放射縁部は、前記第１の辺と前記第２の辺とを接続すると共に直線の形状である、
ことを特徴とする請求項１に記載のアンテナモジュール。
【請求項１１】
前記第１のサブ放射素子は、第１の放射縁部を有し、
前記第１の放射縁部は、前記第１の辺と前記第２の辺とを接続すると共に折れ線の形状である、
ことを特徴とする請求項１に記載のアンテナモジュール。
【請求項１２】
前記第１のサブ放射素子は、第１の放射縁部を有し、
前記第１の放射縁部は、前記第１の辺と前記第２の辺とを接続すると共に段がつけられている、
ことを特徴とする請求項１に記載のアンテナモジュール。
【請求項１３】
前記接地素子は、
第１のサブ接地素子であって、前記伝送素子が該第１のサブ接地素子の上方に配置される、第１のサブ接地素子と、
前記第１のサブ接地素子に接続される少なくとも１つの第２のサブ接地素子と、
を含み、
前記第２のサブ接地素子は、前記第１のサブ接地素子の上部に接続される接地縁部を有し、
前記第１のサブ放射素子は、第１の放射縁部を有し、
前記第１の放射縁部は、前記第１のサブ放射素子の前記第１の辺と前記第２の辺とを接続し、
前記接地縁部は、前記第１の放射縁部に近接する、
ことを特徴とする請求項１に記載のアンテナモジュール。
【請求項１４】
前記接地縁部は、滑らかな曲線の形状である、
ことを特徴とする請求項１３に記載のアンテナモジュール。
【請求項１５】
前記接地縁部は、楕円曲線の一部の形状である、
ことを特徴とする請求項１３に記載のアンテナモジュール。
【請求項１６】
前記接地縁部は、前記第１の放射縁部と類似の形状である、
ことを特徴とする請求項１３に記載のアンテナモジュール。
【請求項１７】
前記接地素子は、２つの第２のサブ接地素子を含み、
前記２つの第２のサブ接地素子はそれぞれ、前記第１のサブ放射素子の２つの辺に配置される、
ことを特徴とする請求項１３に記載のアンテナモジュール。
【請求項１８】
前記第１のサブ接地素子は、長方形である、
ことを特徴とする請求項１３に記載のアンテナモジュール。
【請求項１９】
前記第１のサブ接地素子の面積は、前記伝送素子の面積よりも広い、
ことを特徴とする請求項１３に記載のアンテナモジュール。
【発明の詳細な説明】
【技術分野】
【０００１】
本発明は、アンテナモジュールに関し、特に、広帯域幅特性を有するアンテナモジュールに関する。
【０００２】
本願は、２００８年１月１４日に出願された台湾特許出願第９７１０１３５５号の利益を主張し、当該特許文献の主題は参照により本明細書に援用される。
【背景技術】
【０００３】
無線通信技術の発展と共に、ますます多くの電子製品がさまざまな通信機能を有するようになっている。無線通信は、無線広域ネットワーク（ＷＷＡＮ）、無線都市規模ネットワーク（ＷＭＡＮ）、無線ローカルエリアネットワーク、無線パーソナルエリアネットワーク（ＷＰＡＮ）又はブルートゥースなどさまざまであり、各種の通信がその対応する動作帯域幅を有する。
【０００４】
無線通信技術は、さまざまなアンテナを採用して、対応する帯域幅の信号を送受信する。無線システムが複数の帯域幅内で動作する場合、ほとんどのアンテナは、複数組の独立したアンテナ群を利用して目的とするアンテナダイバーシティを達成する。たとえば、独立したアンテナは特許文献１に開示されており、別の独立したアンテナは特許文献２に開示されている。しかしながら、このように、システムの複雑度が大幅に増すと、空間利用割当量が大幅に減少する。
【先行技術文献】
【特許文献】
【０００５】
【特許文献１】米国特許第４８９０１１４号明細書
【特許文献２】米国特許第６１８１２８４号明細書
【発明の概要】
【発明が解決しようとする課題】
【０００６】
２組のアンテナ群を組み合せて１つの複雑なアンテナを形成する場合であっても、２組のアンテナ群間の干渉が放射帯域幅に深刻な影響を与えることが多い。各アンテナ群の元の性能が低減することさえある。
【０００７】
本発明は、上記課題に鑑みてなされたものであり、広帯域幅特性を有するアンテナモジュールを提供することを目的とする。
【課題を解決するための手段】
【０００８】
本発明はアンテナモジュールに関し、当該アンテナモジュールは、放射素子及び接地素子の形状の設計による広帯域幅特性を有する。
【０００９】
本発明の一態様によれば、アンテナモジュールが提供される。アンテナモジュールは、誘電体基板と、接地素子と、伝送素子と、放射素子と、を備える。誘電体基板は、第１の表面及び第２の表面を有する。接地素子は第１の表面に配置される。伝送素子及び放射素子は第２の表面に配置される。放射素子は、第１のサブ放射素子を含む。第１のサブ放射素子は、第１の辺及び第２の辺を有する。第１のサブ放射素子は、第１の辺で伝送素子に接続され、第１のサブ放射素子の幅は、第１の辺から第２の辺に向かって徐々に広くなる。
【００１０】
第１のサブ放射素子の幅が徐々に増大することによって、第１のサブ放射素子の等価インピーダンスは、最低周波数から最高周波数までの無線信号が伝送される場合に、伝送プロセスのインピーダンスに概ね等しくなる。したがって、最低周波数から最高周波数までの無線信号が伝送される場合に、帯域幅全体の無線信号のフィードバック量は、使用されるプロトコルによって規定される標準値を下回り、広帯域幅効果が得られる。
【００１１】
また、本発明の一態様では、前記第１の表面は、第１の領域と第２の領域とに分割され、前記第２の領域は、前記第１の表面から前記第１の領域を除いた他の領域であり、前記接地素子は、前記第１の領域に配置され、前記伝送素子は、前記第１の領域の上方に配置され、前記第１のサブ放射素子は、前記第２の領域の上方に配置される。
【００１２】
また、本発明の一態様では、前記第１のサブ放射素子は、前記第１の辺と前記第２の辺とを接続する第１の放射縁部を有し、前記伝送素子は、前記第１の放射縁部に接続される伝送縁部を含む。
【００１３】
また、本発明の一態様では、前記第１のサブ放射素子は、前記第１の辺と前記第２の辺とを接続する第１の放射縁部を含み、前記第１の放射縁部は、滑らかな曲線の形状である。
【００１４】
また、本発明の一態様では、前記第１のサブ放射素子は、２つの対向する第１の放射縁部を有し、前記２つの第１の放射縁部は、前記第１のサブ放射素子の対称軸に関して対称である。
【００１５】
また、本発明の一態様では、前記第１の放射縁部は、楕円曲線の一部の形状である。
【００１６】
また、本発明の一態様では、前記放射素子は、第２の放射縁部を有する第２のサブ放射素子をさらに含み、前記第２の放射縁部は、前記第１の放射縁部に接続されると共に直線の形状である。
【００１７】
また、本発明の一態様では、前記第２のサブ放射素子は、長方形である。
【００１８】
また、本発明の一態様では、前記伝送素子は、伝送縁部を有し、前記伝送縁部は、前記第１の放射縁部に接続されると共に第１の長さを有し、前記第１の放射縁部は、第２の長さを有し、前記第２の放射縁部は、第３の長さを有し、前記第２の長さと前記第３の長さとの和は、前記アンテナモジュールの最低動作周波数に関連する。
【００１９】
また、本発明の一態様では、前記第１のサブ放射素子は、第１の放射縁部を有し、前記第１の放射縁部は、前記第１の辺と前記第２の辺とを接続すると共に直線の形状である。
【００２０】
また、本発明の一態様では、前記第１のサブ放射素子は、第１の放射縁部を有し、前記第１の放射縁部は、前記第１の辺と前記第２の辺とを接続すると共に折れ線の形状である。
【００２１】
また、本発明の一態様では、前記第１のサブ放射素子は、第１の放射縁部を有し、前記第１の放射縁部は、前記第１の辺と前記第２の辺とを接続すると共に段がつけられている。
【００２２】
また、本発明の一態様では、前記接地素子は、第１のサブ接地素子であって、前記伝送素子が該第１のサブ接地素子の上方に配置される、第１のサブ接地素子と、前記第１のサブ接地素子に接続される少なくとも１つの第２のサブ接地素子と、を含み、前記第２のサブ接地素子は、前記第１のサブ接地素子の上部に接続される接地縁部を有し、前記第１のサブ放射素子は、第１の放射縁部を有し、前記第１の放射縁部は、前記第１のサブ放射素子の前記第１の辺と前記第２の辺とを接続し、前記接地縁部は、前記第１の放射縁部に近接する。
【００２３】
また、本発明の一態様では、前記接地縁部は、滑らかな曲線の形状である。
【００２４】
また、本発明の一態様では、前記接地縁部は、楕円曲線の一部の形状である。
【００２５】
また、本発明の一態様では、前記接地縁部は、前記第１の放射縁部と類似の形状である。
【００２６】
また、本発明の一態様では、前記接地素子は、２つの第２のサブ接地素子を含み、前記２つの第２のサブ接地素子はそれぞれ、前記第１のサブ放射素子の２つの辺に配置される。
【００２７】
また、本発明の一態様では、前記第１のサブ接地素子は、長方形である。
【００２８】
また、本発明の一態様では、前記第１のサブ接地素子の面積は、前記伝送素子の面積よりも広い。
【００２９】
以下の説明、添付の特許請求の範囲、及び添付の図面に関して、本発明のこれらの並びに他の特徴、態様、及び利点がより理解されるであろう。
【図面の簡単な説明】
【００３０】
【図１】本発明の第１の実施形態のアンテナモジュールを示す概略図である。
【図２Ａ】図１のアンテナモジュールを示す上面図である。
【図２Ｂ】図１のアンテナモジュールの、放射素子、接地素子、及び伝送素子と、第１の表面との関係を示す概略図である。
【図３】図１のアンテナモジュールのリターンロス測定チャートを示す概略図である。
【図４】本発明の第２の実施形態のアンテナモジュールを示す上面図である。
【図５】本発明の第３の実施形態のアンテナモジュールを示す上面図である。
【図６】本発明の第４の実施形態のアンテナモジュールを示す上面図である。
【図７】本発明の第５の実施形態のアンテナモジュールを示す上面図である。
【発明を実施するための形態】
【００３１】
［第１の実施形態］
図１は、本発明の第１の実施形態のアンテナモジュール１００を示す概略図である。アンテナモジュール１００は、誘電体基板１１０と、接地素子１２０と、伝送素子１４０と、放射素子１３０と、を備える。誘電体基板１１０はたとえば、エポキシ樹脂又はガラス繊維から形成される。誘電体基板１１０は、第１の表面１１０ａ及び第２の表面１１０ｂを有する。接地素子１２０は第１の表面１１０ａに配置される。伝送素子１４０及び放射素子１３０は第２の表面１１０ｂに配置される。接地素子１２０、伝送素子１４０、及び放射素子１３０は、たとえば、印刷される金属層、又は付加的に付着される金属シートとすることができる。
【００３２】
放射素子１３０は、第１のサブ放射素子１３１を少なくとも含む。第１のサブ放射素子１３１は、第１の辺Ｓ１と、当該第１の辺Ｓ１と対向する第２の辺Ｓ２と、を有する（図１において、第１の辺Ｓ１及び第２の辺Ｓ２は破線で示されている）。第１のサブ放射素子１３１は、第１の辺Ｓ１で伝送素子１４０に接続され、第１のサブ放射素子１３１の幅は、第１の辺Ｓ１から第２の辺Ｓ２に向かって徐々に広くなる。
【００３３】
図２Ａは、図１のアンテナモジュール１００を示す上面図である。詳細には、伝送素子１４０は伝送縁部１４０Ｓを有し、第１のサブ放射素子１３１は第１の放射縁部１３１Ｓを有する。伝送縁部１４０Ｓは第１の放射縁部１３１Ｓに接続され、第１の放射縁部１３１Ｓは第１の辺Ｓ１と第２の辺Ｓ２とを接続する。
【００３４】
本実施形態では、伝送素子１４０は２つの伝送縁部１４０Ｓを有し、第１のサブ放射素子１３１は２つの第１の放射縁部１３１Ｓを有する。２つの伝送縁部１４０Ｓは、伝送素子１４０の中心軸Ｌ１に関して対称である。２つの第１の放射縁部１３１Ｓは、第１のサブ放射素子１３１の対称軸Ｌ２に関して対称である。すなわち、本実施形態の伝送素子１４０及び第１のサブ放射素子１３１は、対称構造である。
【００３５】
第１の放射縁部１３１Ｓは、滑らかな曲線の形状である。２つの第１の放射縁部１３１Ｓは、第１の辺Ｓ１においては互いに近く、第２の辺Ｓ２においては互いに遠く離れている。すなわち、第１の辺Ｓ１における２つの第１の放射縁部１３１Ｓ間の距離は、第２の辺Ｓ２における２つの第１の放射縁部１３１Ｓ間の距離よりも小さい。２つの第１の放射縁部１３１Ｓ間の距離は、第１の辺Ｓ１から第２の辺Ｓ２に向かって徐々に増大する。すなわち、第１のサブ放射素子１３１は噴火口状である。
【００３６】
たとえば、滑らかな曲線は、楕円曲線の一部、円曲線の一部、放物曲線の一部、又は他の曲線である。本実施形態では、第１の放射縁部１３１Ｓのそれぞれは、四分の一楕円曲線の形状である。楕円曲線は長径及び短径を有し、長径と短径との比は１．３〜３である。長径と短径との比は１．５〜２であることが好ましい。
【００３７】
伝送縁部１４０Ｓと第１の放射縁部１３１Ｓとの間の角θ１は９０度よりも大きい。すなわち、伝送縁部１４０Ｓ及び第１の放射縁部１３１Ｓは、それらの接続個所において鋭角を形成しない。伝送縁部１４０Ｓ及び第１の放射縁部１３１Ｓは、滑らかな直線又は滑らかな曲線とすることができ、伝送縁部１４０Ｓと第１の放射縁部１３１Ｓとの接続個所も滑らかである。このようにして、無線信号は円滑に放出される（又は取り込まれる）ことができ、ある位置で大きくフィードバック（又は反射）されることがない。
【００３８】
本実施形態の放射素子１３０は、第２のサブ放射素子１３２をさらに含む。第２のサブ放射素子１３２は第２の放射縁部１３２Ｓを有し、第２の放射縁部１３２Ｓは第１の放射縁部１３１Ｓに接続される。第２の放射縁部１３２Ｓは直線の形状である。本実施形態の第２のサブ放射素子１３２は、長方形構造とすることができる。第２のサブ放射素子１３２は、第１のサブ放射素子１３１が第２の辺Ｓ２におけるインピーダンス整合要件を満たすよう、第２の辺Ｓ２における第１のサブ放射素子１３１の対応する等価インピーダンスを調整するために使用される。
【００３９】
本実施形態では、第２の放射縁部１３２Ｓと第１の放射縁部１３１Ｓとの間の角θ２も９０度より大きい。伝送縁部１４０Ｓ、第１の放射縁部１３１Ｓ、及び第２の放射縁部１３２Ｓは、直線又は滑らかな曲線の形状とすることができ、それらの接続個所において鋭角を形成しない（接続個所でも滑らかである）。したがって、無線信号は円滑に放出される（又は取り込まれる）ことができ、ある位置で大きくフィードバック（又は反射）されることがない。
【００４０】
第２のサブ放射素子１３２は２つの第２の放射縁部１３２Ｓを有し、２つの第２の放射縁部１３２Ｓは、第２のサブ放射素子１３２の対称軸Ｌ３に関して対称である。したがって、第２のサブ放射素子１３２も対称構造である。
【００４１】
図１及び図２Ａに示されるように、接地素子１２０は、第１のサブ接地素子１２１と、少なくとも１つの第２のサブ接地素子１２２と、を含む。伝送素子１４０は第１のサブ接地素子１２１の上方に配置される。第１のサブ接地素子１２１は第１の接地縁部１２１Ｓを有する。本実施形態では、第１のサブ接地素子１２１は長方形構造である。第１のサブ接地素子１２１の面積は、伝送素子１４０の面積よりも大きい。
【００４２】
第２のサブ接地素子１２２は第１のサブ接地素子１２１に接続される。第２のサブ接地素子１２２は接地縁部１２２Ｓを有する。接地縁部１２２Ｓは第１のサブ接地素子１２１の上部に接続される。
【００４３】
図２Ｂは、図１のアンテナモジュール１００の、放射素子１３０、接地素子１２０、及び伝送素子１４０と、第１の表面１１０ａとの関係を示す概略図である。接地素子１２０が配置される第１の表面１１０ａは、第１の領域Ａ１と第２の領域Ａ２とに分割される。（第１のサブ接地素子１２１と第２のサブ接地素子１２２とを含む）接地素子１２０は第１の領域Ａ１に配置され、第２の領域Ａ２は、第１の表面１１０ａから第１の領域Ａ１を除いた他の領域である。図２Ｂに示されるように、伝送素子１４０は第１の領域Ａ１の上方に配置される。第１のサブ放射素子１３１及び第２のサブ放射素子１３２は第２の領域Ａ２の上方に配置される。すなわち、伝送素子１４０は接地素子１２０と重なる。第１のサブ放射素子１３１及び第２のサブ放射素子１３２は接地素子１２０と重ならない。
【００４４】
本実施形態の接地素子１２０は、２つの第２のサブ接地素子１２２を含む。２つの第２のサブ接地素子１２２はそれぞれ、第１のサブ放射素子１３１の２つの辺に配置される。接地縁部１２２Ｓは第１の放射縁部１３１Ｓに近接する。接地縁部１２２Ｓは、第１の放射縁部１３１Ｓと類似の形状であることが好ましい。そうすれば、無線信号が第１の放射縁部１３１Ｓと接地縁部１２２Ｓとの間で共振モードを形成するとき、無線信号のエネルギーが一定の大きさに維持され、失われない。
【００４５】
本実施形態では、第１の放射縁部１３１Ｓは四分の一楕円曲線であり、接地縁部１２２Ｓも楕円曲線の一部の形状であり、二分の一楕円曲線の形状であることが好ましい。
【００４６】
本実施形態では、伝送縁部１４０Ｓは、たとえば２０．０４６９ミリメートルの第１の距離Ｄ１を有する。
【００４７】
第１の放射縁部１３１Ｓは、たとえば１３．０９３１ミリメートルの長半径と、たとえば９．０４１１ミリメートルの短半径と、を有する。すなわち、長径と短径との比は約１．４５である。第１の放射縁部１３１Ｓは、たとえば１７．５２ミリメートルの第２の長さＤ２を有する。第１の辺Ｓ１における第１のサブ放射素子１３１の幅は、たとえば２．９３００ミリメートルであり、第２の辺Ｓ２における第１のサブ放射素子１３１の幅は、たとえば２１．０７００ミリメートルである。
【００４８】
第２のサブ放射素子１３２の第２の放射縁部１３２Ｓは、たとえば１１．３３１６ミリメートルの第３の長さＤ３を有する。
【００４９】
第１のサブ接地素子１２１の長さは２６．８２３４ミリメートルであり、幅は２０．０４６９ミリメートルである。
【００５０】
第２のサブ接地素子１２２のそれぞれは二分の一楕円の形状であり、たとえば、当該楕円の長半径は６．９５３１ミリメートルであり、短半径は５．５０９２ミリメートルである。
【００５１】
図３は、図１のアンテナモジュール１００のリターンロス測定チャートを示す概略図である。一般的に言えば、アンテナモジュール１００が動作することができる放射波長は、以下の式（１）によって求められる。
【００５２】
【数１】
2009171583.tif 000003
【００５３】
式中、λは波長であり、ｆは周波数であり、εｒは誘電係数である。したがって、アンテナモジュール１００が動作することができる最低周波数は、第２の長さＤ２と第３の長さＤ３との和（すなわち、１７．５２＋１１．３３１６＝２８．８５１６ミリメートル）によって求められる。
【００５４】
帯域幅全体において、最低周波数を有する無線信号が伝送される場合、第１のサブ放射素子１３１の等価インピーダンスは、第１のサブ放射素子１３１の（第２の辺Ｓ２における）最大幅に関連する。最高周波数を有する無線信号が伝送される場合、第１のサブ放射素子１３１の等価インピーダンスは、第１のサブ放射素子１３１の（第１の辺Ｓ１における）最小幅に関連する。最高周波数と最低周波数との間の中間周波数を有する無線信号が伝送される場合、第１のサブ放射素子１３１の等価インピーダンスは、（第１の辺Ｓ１と第２の辺Ｓ２との間に位置する）最大幅と最小幅との間の中間幅に関連する。
【００５５】
第１のサブ放射素子１３１の幅が徐々に増大することによって、第１のサブ放射素子１３１の等価インピーダンスは、最低周波数から最高周波数までの無線信号が伝送される場合に、伝送プロセスのインピーダンスに概ね等しくなる。したがって、最低周波数から最高周波数までの無線信号が伝送される場合に、帯域幅全体の無線信号のフィードバック量は、使用されるプロトコルによって規定される標準値を下回り、広帯域幅効果が得られる。
【００５６】
図３に示すように、アンテナモジュールが２．５０４０８ＧＨｚ〜１０．０００ＧＨｚの帯域幅内で動作する場合、リターンロスはすべて−１０ｄＢを下回る。したがって、アンテナモジュール１００は、好ましくは２．５０４０８ＧＨｚ〜１０．０００ＧＨｚの帯域幅内の無線信号を受信することができる。したがって、アンテナモジュール１００は、無線広域ネットワーク（ＷＷＡＮ）、無線都市規模ネットワーク（ＷＭＡＮ）、無線ローカルエリアネットワーク（ＷＬＡＮ）、無線パーソナルエリアネットワーク（ＷＰＡＮ）又はブルートゥースに適している。たとえば、ＷＰＡＮにおいて、８０２．１１プロトコルは２．４ＧＨｚで動作し、８０２．１１ｂプロトコルは２．４ＧＨｚで動作し、８０２．１１ａプロトコルは５ＧＨｚで動作し、８０２．１１ｇプロトコルは２．４ＧＨｚで動作する。本実施形態のアンテナモジュール１００は、上記のすべての周波数で動作することができる。
【００５７】
［第２の実施形態］
図４は、本発明の第２の実施形態のアンテナモジュール２００を示す上面図である。本実施形態のアンテナモジュール２００と第１の実施形態のアンテナモジュール１００との間の相違点は、本実施形態の放射素子２３０が第２のサブ放射素子１３２を有していない点であり、簡潔にするために同一の構成要素については説明しない。
【００５８】
設計者は、設計要件に応じて、第１のサブ放射素子２３１及び第１の放射縁部２３１Ｓの長さを延長し、第２のサブ放射素子１３２を除去することができる。第１のサブ放射素子２３１の幅が第１の辺Ｓ１から第２の辺Ｓ２に向かって徐々に増大するという条件下で、第１のサブ放射素子２３１は、あらゆる点においてインピーダンス整合を満足する。第１の辺Ｓ１と第２の辺Ｓ２との間における第１のサブ放射素子２３１のいかなる点も、接地素子１２０と協働して良好な共振モードを生成し、広帯域幅効果を得ることができる。
【００５９】
［第３の実施形態］
図５は、本発明の第３の実施形態のアンテナモジュール３００を示す上面図である。本実施形態のアンテナモジュール３００と第１の実施形態のアンテナモジュール１００との間の相違点は、第１の放射縁部３３１Ｓ及び接地縁部３２２Ｓの形状であり、簡潔にするために同一の構成要素については説明しない。
【００６０】
第１の放射縁部３３１Ｓは直線の形状である。すなわち、放射素子３３０の第１のサブ放射素子３３１は台形である。台形の第１のサブ放射素子３３１の幅が第１の辺Ｓ１から第２の辺Ｓ２に向かって徐々に増大するという条件下で、第１のサブ放射素子３３１は、あらゆる点においてインピーダンス整合を満足する。第１の辺Ｓ１と第２の辺Ｓ２との間における第１のサブ放射素子３３１のいかなる点も、接地素子３２０と協働して良好な共振モードを生成し、広帯域幅効果を得ることができる。
【００６１】
［第４の実施形態］
図６は、本発明の第４の実施形態のアンテナモジュール４００を示す上面図である。本実施形態のアンテナモジュール４００と第１の実施形態のアンテナモジュール１００との間の相違点は、第１の放射縁部４３１Ｓ及び接地縁部４２２Ｓの形状であり、簡潔にするために同一の構成要素については説明しない。
【００６２】
本実施形態の第１の放射縁部４３１Ｓは折れ線の形状である。すなわち、放射素子４３０の第１のサブ放射素子４３１は多角形である。多角形の第１のサブ放射素子４３１の幅が第１の辺Ｓ１から第２の辺Ｓ２に向かって徐々に増大するという条件下で、第１のサブ放射素子４３１は、あらゆる点においてインピーダンス整合を満足する。第１の辺Ｓ１と第２の辺Ｓ２との間における第１のサブ放射素子４３１のいかなる点も、接地素子４２０と協働して良好な共振モードを生成し、広帯域幅効果を得ることができる。
【００６３】
［第５の実施形態］
図７は、本発明の第５の実施形態のアンテナモジュール５００を示す上面図である。本実施形態のアンテナモジュール５００と第１の実施形態のアンテナモジュール１００との間の相違点は、第１の放射縁部５３１Ｓ及び接地縁部５２２Ｓの形状であり、簡潔にするために同一の構成要素については説明しない。
【００６４】
本実施形態の第１の放射縁部５３１Ｓには段がつけられている。段がつけられた第１のサブ放射素子５３１の幅が第１の辺Ｓ１から第２の辺Ｓ２に向かって徐々に増大するという条件下で、第１のサブ放射素子５３１は、あらゆる点においてインピーダンス整合を満足する。第１の辺Ｓ１と第２の辺Ｓ２との間における第１のサブ放射素子５３１のいかなる点も、接地素子５２０と協働して良好な共振モードを生成し、広帯域幅効果を得ることができる。
【００６５】
本発明の実施形態のアンテナモジュールは、放射素子及び接地素子の複数の形状の設計を採用することにより、広帯域幅効果を得ることができる。さらに、本実施形態のアンテナモジュールは回路基板の一種であり、電子装置がもともと有している回路基板の上に直接使用することができる。そして、当該アンテナモジュールは製造コストが低く、都合よく組み立てることができる。
【００６６】
以上では、本発明をその特定の好ましい実施形態を参照して詳細に説明したが、本開示は本発明の範囲を限定するものではない。当業者は、本発明の範囲及び技術思想から逸脱することなくさまざまな変更及び変形を為すことができる。したがって、添付の特許請求の範囲は上述の好ましい実施形態の記載に限定されるべきではない。
【符号の説明】
【００６７】
１００，２００，３００，４００，５００  アンテナモジュール、１１０  誘電体基板、１１０ａ，１１０ｂ  表面、１２０，３２０，４２０，５２０  接地素子、１２１，１２２，３２２，４２２，５２２  サブ接地素子、１２２Ｓ，３２２Ｓ，４２２Ｓ，５２２Ｓ  接地縁部、１３０，２３０，３３０，４３０，５３０  放射素子、１３１，１３２，２３１，３３１，４３１，５３１  サブ放射素子、１３１Ｓ，１３２Ｓ，２３１Ｓ，３３１Ｓ，４３１Ｓ，５３１Ｓ  放射縁部、１４０  伝送素子、１４０Ｓ  伝送縁部、Ｓ１，Ｓ２  辺。
【図１】
2009171583.tif 000004
【図２Ａ】
2009171583.tif 000005
【図２Ｂ】
2009171583.tif 000006
【図３】
2009171583.tif 000007
【図４】
2009171583.tif 000008
【図５】
2009171583.tif 000009
【図６】
2009171583.tif 000010
【図７】
2009171583.tif 000011